(57)【特許請求の範囲】
【請求項１】
筐体と、第１および第２のアンテナと、該筐体に内蔵され送信および受信を行う送受信回路とから構成される携帯無線端末において、
複数のアンテナと送受信回路に接続されており、送受信回路とアンテナの接続を切り替えるスイッチと、
該スイッチの切り替えを制御する制御回路と、
該制御回路および該送受信回路に接続された使用状態判別装置と、
入力ボタンと、を備え、
該使用状態判別装置は、該入力ボタンの一定時間内に押された回数によって、該携帯無線端末が人体頭部近傍において使用されているか、人体頭部から離れた位置で使用されているかを判別する手段を有し、該制御回路は判別結果に基づいてアンテナを選択することを特徴とする携帯無線端末。
【請求項２】
筐体と、第１および第２のアンテナと、該筐体に内蔵され送信および受信を行う送受信回路とから構成される携帯無線端末において、
複数のアンテナと送受信回路とに接続され該アンテナの振幅及び位相を調節する振幅位相調節回路と、
該振幅位相調節回路の動作を制御する制御回路と、
該制御回路および該送受信回路に接続された使用状況判別装置と、
入力ボタンと、を備え、
該使用状態判別装置は、該入力ボタンの一定時間内に押された回数によって、該携帯無線端末が人体頭部近傍において使用されているか、人体頭部から離れた位置で使用されているかを判別する手段を有し、該制御回路は判別結果に基づいて振幅位相調節回路の振幅及び位相を制御することを特徴とする携帯無線端末。
【請求項３】
筐体と、第１および第２のアンテナと、該筐体に内蔵され送信および受信を行う送受信回路とから構成される携帯無線端末において、
複数のアンテナと送受信回路に接続されており、送受信回路とアンテナの接続を切り替えるスイッチと、
該スイッチの切り替えを制御する制御回路と、
該制御回路および該送受信回路に接続された使用状態判別装置と、を備え、
該使用状態判別装置は、該送受信回路で受信した複数のアンテナの受信信号を基にして該携帯無線端末に到来する電波の到来方向を推定し、到来方向の推定結果を用いて、該携帯無線端末が人体頭部近傍において使用されているか、人体頭部から離れた位置で使用されているかを判別する手段を有し、該制御回路は判別結果に基づいてアンテナを選択することを特徴とする携帯無線端末。
【請求項４】
筐体と、第１および第２のアンテナと、該筐体に内蔵され送信および受信を行う送受信回路とから構成される携帯無線端末において、
複数のアンテナと送受信回路に接続されており、送受信回路とアンテナの接続を切り替えるスイッチと、
該スイッチの切り替えを制御する制御回路と、
該制御回路および該送受信回路に接続された使用状態判別装置と、
情報を表示するための表示装置と、を備え、
該使用状態判別装置は、該表示装置の表示内容の変更回数を一定時間監視し、その変更回数によって、該携帯無線端末が人体頭部近傍において使用されているか、人体頭部から離れた位置で使用されているかを判別する手段を有し、該制御回路は判別結果に基づいてアンテナを選択することを特徴とする携帯無線端末。
【請求項５】
筐体と、第１および第２のアンテナと、該筐体に内蔵され送信および受信を行う送受信回路とから構成される携帯無線端末において、
複数のアンテナと送受信回路とに接続され該アンテナの振幅及び位相を調節する振幅位相調節回路と、
該振幅位相調節回路の動作を制御する制御回路と、
該制御回路および該送受信回路に接続された使用状況判別装置と、
情報を表示するための表示装置と、を備え、
該使用状態判別装置は、該表示装置の表示内容の変更回数を一定時間監視し、その変更回数によって、該携帯無線端末が人体頭部近傍において使用されているか、人体頭部から離れた位置で使用されているかを判別する手段を有し、該制御回路は判別結果に基づいて振幅位相調節回路の振幅及び位相を制御することを特徴とする携帯無線端末。
【請求項６】
筐体と、第１および第２のアンテナと、該筐体に内蔵され送信および受信を行う送受信回路とから構成される携帯無線端末において、
複数のアンテナと送受信回路に接続されており、送受信回路とアンテナの接続を切り替えるスイッチと、
該スイッチの切り替えを制御する制御回路と、
該制御回路および該送受信回路に接続された使用状態判別装置と、
データ演算装置と、を備え、
該使用状態判別装置は、該データ演算装置の演算量を一定時間監視し、その演算量の変化によって、該携帯無線端末が人体頭部近傍において使用されているか、人体頭部から離れた位置で使用されているかを判別する手段を有し、該制御回路は判別結果に基づいてアンテナを選択することを特徴とする携帯無線端末。
【請求項７】
筐体と、第１および第２のアンテナと、該筐体に内蔵され送信および受信を行う送受信回路とから構成される携帯無線端末において、
複数のアンテナと送受信回路とに接続され該アンテナの振幅及び位相を調節する振幅位相調節回路と、
該振幅位相調節回路の動作を制御する制御回路と、
該制御回路および該送受信回路に接続された使用状況判別装置と、
データ演算装置と、を備え、
該使用状態判別装置は、該データ演算装置の演算量を一定時間監視し、その演算量の変化によって、該携帯無線端末が人体頭部近傍において使用されているか、人体頭部から離れた位置で使用されているかを判別する手段を有し、該制御回路は判別結果に基づいて振幅位相調節回路の振幅及び位相を制御することを特徴とする携帯無線端末。
【請求項８】
該携帯無線端末は、該使用状況判断装置の判断結果に基づき、該送受信回路からの送信電力を制御することを特徴とする請求項１〜７のいずれかの請求項に記載の携帯無線端末。
【発明の詳細な説明】
【０００１】
【産業上の利用分野】
この発明は携帯無線端末のアンテナの構成法および携帯無線端末の使用状況を判別する方法に関する。
【０００２】
【従来の技術】
ＰＤＣ（Personal Digital Cellular System）に代表されるような携帯無線端末においては、使用するアンテナを切り替えるダイバーシチ技術が導入されている。ダイバーシチ技術とは、２つのアンテナのどちらか性能が良いアンテナを用いることで、何らかの要因によるアンテナ性能劣化を回避することができる。つまり、２つのアンテナがあれば、どちらか一方は少なくても性能の良い状態にあるという思想に基づく技術である。
【０００３】
図１０は従来のダイバーシチを採用している携帯無線端末を示している。筐体1と、筐体に設置された第１のアンテナ２と、筐体に内蔵された第２のアンテナ３と、筐体に内蔵された送受信回路４と、前記第１、２のアンテナおよび送受信回路に接続された高周波スイッチ５と、前記送受信回路４および高周波スイッチ５に接続された制御回路６から構成される。
【０００４】
以下に、アンテナを切り替える方法を説明する。制御回路６は、高周波スイッチ５を切り替えて、送受信回路４における第１のアンテナ２と第２のアンテナ３の受信電界強度を測定する。制御回路６は、測定された受信電界強度の大きな方のアンテナを使用するように、高周波スイッチ５の切り替えを制御する。
このように構成された携帯無線端末は、一方のアンテナの性能が劣化しても、良好に通信ができるようになっている。しかしながら、従来の携帯無線端末では、単純に受信電界強度のみで判断しているだけであり、どのような理由で一方のアンテナが選択されたか判断できない。
【０００５】
近年使用されている携帯無線端末では、音声通話とデータ通信の両方の機能を持ち合わせている。このような携帯無線端末では、図１１に示したように、人体頭部に近接して使用される場合（音声通信）と人体頭部から離れて使用される場合（データ通信）の２通りの使用状況が主な使用方法である。この２通りの使用状況によって、アンテナの性能が変化することは明らかである。つまり、アンテナの向きと、人体頭部の影響により指向性が変化することは明らかである。
しかしながら、従来のダイバーシチを採用する携帯無線端末では、携帯無線端末の使用状況を無視してアンテナの選択を行っている。
【０００６】
一方、何らかの手段によって携帯無線端末の使用状況が判明した場合には、アンテナの制御が楽になるばかりか、アンテナ性能を大幅に向上することができるようになる。以下、使用状況が判明した場合に、アンテナ性能が大幅に向上する理由を説明する。
使用状況が判明していれば、アンテナ性能を最適に制御することができる。例えば、筐体の背面方向に放射するアンテナが携帯無線端末に搭載されているとする。ここで、音声通信においては、携帯無線端末の背面方向は人体頭部とは反対方向なのでこのアンテナを選択することは最適である。一方、データ通信においては、携帯無線端末の背面方向は地面の方向なので、このアンテナの性能は大幅に劣化しているので、他のアンテナを使用することになる。
以上説明したように、使用状況が判明していれば、容易にアンテナ性能を向上することができる。
【０００７】
しかしながら、従来のダイバーシチを用いた携帯無線端末では、受信電界強度のみで判断して制御しているので、使用状況を判断することはできない。
【０００８】
【発明が解決しようとする課題】
以上説明したように、従来の携帯無線端末に用いられるダイバーシチでは、携帯無線端末の使用状況がまったく分からない状況である。そのために、アンテナの制御や、性能の向上ができない問題点があった。
本発明はこのような従来の問題点に鑑みてなされたもので、携帯無線端末の使用状況を判別する装置を搭載することによって、アンテナ性能を大幅に向上する携帯無線端末を提供することを目的とする。
【０００９】
【課題を解決するための手段】
第１の本発明は、筐体と、第１および第２のアンテナと、該筐体に内蔵され送信および受信を行う送受信回路とから構成される携帯無線端末において、複数のアンテナと送受信回路に接続されており、送受信回路とアンテナの接続を切り替えるスイッチと、該スイッチの切り替えを制御する制御回路と、該制御回路および該送受信回路に接続された使用状態判別装置と、入力ボタンと、を備え、該使用状態判別装置は、該入力ボタンの一定時間内に押された回数によって、該携帯無線端末が人体頭部近傍において使用されているか、人体頭部から離れた位置で使用されているかを判別する手段を有し、該制御回路は判別結果に基づいてアンテナを選択することを特徴とする携帯無線端末である。
【００１０】
また、第２の本発明は、筐体と、第１および第２のアンテナと、該筐体に内蔵され送信および受信を行う送受信回路とから構成される携帯無線端末において、複数のアンテナと送受信回路とに接続され該アンテナの振幅及び位相を調節する振幅位相調節回路と、該振幅位相調節回路の動作を制御する制御回路と、該制御回路および該送受信回路に接続された使用状況判別装置と、入力ボタンと、を備え、該使用状態判別装置は、該入力ボタンの一定時間内に押された回数によって、該携帯無線端末が人体頭部近傍において使用されているか、人体頭部から離れた位置で使用されているかを判別する手段を有し、該制御回路は判別結果に基づいて振幅位相調節回路の振幅及び位相を制御することを特徴とする携帯無線端末である。
【００１１】
上記第１および第２の本発明において、前記使用状態判別装置が前記携帯無線端末を人体頭部近傍において使用されているか、人体頭部から離れた位置で使用されているかを判断する手段は、前記筐体に設置されている入力ボタンの一定時間内に押された回数によって判断する手段であることが望ましい。
この一定時間内に入力ボタンが押された回数を判断する手段としては、入力ボタンと入力ボタンに接続されたカウンターと、カウンターに接続された比較器と比較器に接続された基準信号発生器と比較器に接続された制御装置で実現することができる。
【００１２】
また、第３の本発明は、筐体と、第１および第２のアンテナと、該筐体に内蔵され送信および受信を行う送受信回路とから構成される携帯無線端末において、複数のアンテナと送受信回路に接続されており、送受信回路とアンテナの接続を切り替えるスイッチと、該スイッチの切り替えを制御する制御回路と、該制御回路および該送受信回路に接続された使用状態判別装置と、を備え、該使用状態判別装置は、該送受信回路で受信した複数のアンテナの受信信号を基にして該携帯無線端末に到来する電波の到来方向を推定し、到来方向の推定結果を用いて、該携帯無線端末が人体頭部近傍において使用されているか、人体頭部から離れた位置で使用されているかを判別する手段を有し、該制御回路は判別結果に基づいてアンテナを選択することを特徴とする携帯無線端末である。
【００１３】
また、第４の発明は、筐体と、第１および第２のアンテナと、該筐体に内蔵され送信および受信を行う送受信回路とから構成される携帯無線端末において、複数のアンテナと送受信回路に接続されており、送受信回路とアンテナの接続を切り替えるスイッチと、該スイッチの切り替えを制御する制御回路と、該制御回路および該送受信回路に接続された使用状態判別装置と、情報を表示するための表示装置と、を備え、該使用状態判別装置は、該表示装置の表示内容の変更回数を一定時間監視し、その変更回数によって、該携帯無線端末が人体頭部近傍において使用されているか、人体頭部から離れた位置で使用されているかを判別する手段を有し、該制御回路は判別結果に基づいてアンテナを選択することを特徴とする携帯無線端末である。
【００１４】
また、第５の発明は、筐体と、第１および第２のアンテナと、該筐体に内蔵され送信および受信を行う送受信回路とから構成される携帯無線端末において、複数のアンテナと送受信回路とに接続され該アンテナの振幅及び位相を調節する振幅位相調節回路と、該振幅位相調節回路の動作を制御する制御回路と、該制御回路および該送受信回路に接続された使用状況判別装置と、情報を表示するための表示装置と、を備え、該使用状態判別装置は、該表示装置の表示内容の変更回数を一定時間監視し、その変更回数によって、該携帯無線端末が人体頭部近傍において使用されているか、人体頭部から離れた位置で使用されているかを判別する手段を有し、該制御回路は判別結果に基づいて振幅位相調節回路の振幅及び位相を制御することを特徴とする携帯無線端末である。
【００１５】
また、第６の発明は、筐体と、第１および第２のアンテナと、該筐体に内蔵され送信および受信を行う送受信回路とから構成される携帯無線端末において、複数のアンテナと送受信回路に接続されており、送受信回路とアンテナの接続を切り替えるスイッチと、該スイッチの切り替えを制御する制御回路と、該制御回路および該送受信回路に接続された使用状態判別装置と、データ演算装置と、を備え、該使用状態判別装置は、該データ演算装置の演算量を一定時間監視し、その演算量の変化によって、該携帯無線端末が人体頭部近傍において使用されているか、人体頭部から離れた位置で使用されているかを判別する手段を有し、該制御回路は判別結果に基づいてアンテナを選択することを特徴とする携帯無線端末である。
【００１６】
また、第７の発明は、筐体と、第１および第２のアンテナと、該筐体に内蔵され送信および受信を行う送受信回路とから構成される携帯無線端末において、複数のアンテナと送受信回路とに接続され該アンテナの振幅及び位相を調節する振幅位相調節回路と、該振幅位相調節回路の動作を制御する制御回路と、該制御回路および該送受信回路に接続された使用状況判別装置と、データ演算装置と、を備え、該使用状態判別装置は、該データ演算装置の演算量を一定時間監視し、その演算量の変化によって、該携帯無線端末が人体頭部近傍において使用されているか、人体頭部から離れた位置で使用されているかを判別する手段を有し、該制御回路は判別結果に基づいて振幅位相調節回路の振幅及び位相を制御することを特徴とする携帯無線端末である。
【００１７】
さらに、前記携帯無線端末は、前記使用状況判断装置の判断結果に基づき、前記送受信回路からの送信電力を制御することを特徴とする。
【００１８】
【発明の実施の形態】
（第１の実施の形態）
以下、本発明の第一の実施形態を図面に基づいて説明する。図１は、本発明の実施形態に係る携帯無線端末の構成図である。筐体１と、筐体に設置される第１および第２のアンテナ２，３と、筐体に内蔵され送信および受信を行う送受信回路４と、複数のアンテナ２，３と送受信回路４に接続されており送受信回路とアンテナ素子の接続を切り替える高周波スイッチ５と、送受信回路４に接続された使用状態判別装置８と、該使用状態判別装置８に接続され、複数のアンテナを選択する制御装置６とから構成される。そして、使用状態判別装置８は、携帯無線端末が人体頭部近傍において使用されているか、人体頭部から離れた位置で使用されているかを判別する。この使用状態判別装置８は、携帯無線端末と人体頭部との相対位置を物理的、論理的に判断して判別するものであり、任意の物理事象を用いて実現することができる。具体的な手段については、後述する。
携帯無線端末が人体頭部近傍において使用されている状況とは、音声通話を行っている状況であり、一方、人体頭部から離れた位置で使用されている状況とは、データ通信を行っている状況である。つまり、携帯無線端末の使用方法として代表的な２つの使用形態を判断できることとなる。
【００１９】
制御回路６は、使用状態判別装置８の判別結果に基づいて使用するアンテナの選択をするものである。２通りの使用形態があるが、それぞれの状況においての最適となるアンテナは、設計または開発する段階で明らかになっている。したがって、制御回路内にあらかじめその情報を入力しておくだけで使用状況に応じた最適なアンテナを選択することができるようになる。
【００２０】
本発明においては、アンテナ２，３は、ホイップアンテナ、ヘリカルアンテナ、逆Ｆアンテナ、パッチアンテナ、ループアンテナ、ジグザグアンテナ、メアンダアンテナ、ダイポールアンテナなど、どのようなアンテナでもかまわない。また、アンテナ素子数は、最低２素子である。
なお、見かけ上のアンテナ素子数の多いアレイアンテナを用いることも可能である。しかしこの時にも、アレイアンテナの各素子の受信信号は合成されるので、２つのアンテナであることには変わりない。
【００２１】
本発明においては、様々なアンテナを使用することが考えられるが、それぞれのアンテナは２通りの使用状況のどちらかにおいて最適な性能になるように設計されていれば良い。
例えば、通話状態における最適なアンテナの例としては、筐体1の背面に設置されたパッチアンテナが考えられる（図２−Ａ）。パッチアンテナは人体頭部とは反対側に放射するアンテナであるので、人体による影響を受けないので、最適なアンテナの一つである。
また、データ通信における最適なアンテナの例としては、ホイップアンテナが考えられる（図２−Ｂ）。ホイップアンテナは無指向性のアンテナであるので、データ通信時に地面に対する水平な面でほぼ無指向性のパターンが得られる。つまり、最適なアンテナの一つと考えられる。
【００２２】
以上に説明したように、本発明によれば、携帯無線端末の使用状況を使用状況判別装置８によって判別することができるので、常に最適なアンテナを選択することができる携帯無線端末を提供することができる。
【００２３】
（第２の実施の形態）
以下、本発明の第二の実施形態を図面に基づいて説明する。図３は、本発明の実施形態に係る携帯無線端末の構成図である。
筐体１と、筐体に設置される複数のアンテナ２ａ，２ｂ，２ｃと、筐体に内蔵され送信および受信を行う送受信回路４と、複数のアンテナ２ａ，２ｂ，２ｃと送受信回路４とに接続されアンテナ２ａ，２ｂ，２ｃの振幅及び位相を調節する振幅位相調節回路９と、振幅位相調節回路９の動作を制御する制御回路６と、制御回路および送受信回路に接続された使用状況判別装置８とから構成される。そして、使用状態判別装置８は、携帯無線端末が人体頭部近傍において使用されているか、人体頭部から離れた位置で使用されているかを判別する。
【００２４】
本実施の形態においても、通話状態で使用されているか、データ通信で使用されているかを使用状況判断装置において判断する点は第一の実施例と同じことである。第一の実施例と異なる点は次の２点である。
ひとつめは、アンテナ素子の数は複数であること、ふたつめは、高周波スイッチの代わりに振幅位相調整回路が設置されている点である。この２点の違いによって、自由度が増し、より一層アンテナ性能を向上できるようになる。
【００２５】
振幅位相調整回路は、各素子からの受信信号の振幅と位相を変化させ、それらを合成する機能を持っている。各素子の振幅と位相を変化させて合成することは、複数のアンテナをアレイアンテナと考えて、アレイアンテナの放射パターンを変更することと等価である。すなわち、アレイアンテナの放射パターンを変更することができるので、２通りの使用状況において、最適なアンテナ性能を実現する事ができるようにな      っている。
【００２６】
２通りの使用状況において最適なアンテナの放射パターンを実現する方法を以下に示す。
はじめに、各素子のアンテナの放射パターンを２通りの状況においてそれぞれ求めておく。また、各アンテナの設置位置はもちろん既知である。各素子の放射パターンおよびアンテナの設置場所が既知であれば、それらの合成放射パターンを求めることは、アレイ理論を用いれば容易である。もちろん、各素子の振幅と位相を変化させた場合でもまったく同様に容易の求めることができる。
このように、振幅と位相を変化させた場合の放射パターンを求めることができるので、それぞれの状況における最適な放射パターンとなる振幅と位相の設定値は、設計段階で求めることができる。すなわち、制御回路はそれぞれの状況における振幅と位相の設定値を記憶しておけば良い。つまり、使用状況判別装置の判別結果に基づいて、制御回路が振幅位相調整回路の振幅と位相を制御することができるので、２通りの状況において最適なアンテナ性能を実現することができるようになる。
【００２７】
複数のアンテナは、２素子でもよいし、それ以上の本数でも良い。本数を増加させると、自由度が増し、より一層アンテナパターンを最適化することができるようになる。また、アンテナの種類は、どのようなアンテナでも良いのは言うまでもない。
以上説明したように、本発明によれば、携帯無線端末の使用状況を使用状況判別装置８によって判別することができるので、常に最適な振幅と位相設定することができるようになり、その結果、最適なアンテナ放射パターンが選られるようになり、良好な無線通信ができる携帯無線端末を提供することができるようになる。
【００２８】
（第３の実施の形態）
以下、本発明の第３の実施形態を図面に基づいて説明する。図４は、本発明の実施形態に係る使用状態判別装置８の構成を示すものである。使用状態判別装置８は、筐体に設置されている入力ボタン１０の一定時間内に押された回数によって判断する。以下に、動作について説明する。
携帯無線端末には一般的に複数の入力ボタン１０が存在している。入力ボタンの例としては、数字の０〜９のキーや、決定ボタン、取り消しボタン、計算ボタンなどがある。これらのキーは通信を始める時にまず押される。その後、音声通話を行う場合には、入力キーは押されない。一方、データ通信を行う場合には、データの選択や、決定、など、キーを押しながら携帯無線端末は使用される。
【００２９】
このように、携帯無線端末を音声通話で使用する場合には、入力キーは押されなく、データ通信で使用する場合では、入力キーが押される。このように、２通りの使用状況において、入力キーが押される頻度は大きく異なる。したがって、状況判別装置は、入力キーの押された回数をある一定時間監視することで、ある閾値よりも回数が多ければ、データ通信の使用、閾値よりも回数が少なければ音声通話での使用と判別することができるようになる。
【００３０】
以上説明したように、入力キーの押された回数を監視することで、携帯無線端末の使用されている状況を判別することができる。その結果、最適なアンテナパターンを実現することができ、良好な無線通信ができるようになる。
【００３１】
（第４の実施の形態）
以下、本発明の第４の実施形態を図面に基づいて説明する。使用状態判別装置８は、複数のアンテナ素子の受信信号を基にして前記携帯無線端末に到来する電波の到来方向を推定し、到来方向の結果を用いて判断する。以下に、動作について説明する。
２通りの使用状況を図５に示す。音声通話の状況では、携帯無線端末は人体頭部の近傍に存在している。この時には、電波は、人体頭部によって遮断されるので、人体頭部の反対側、つまり、筐体の背面から到来することとなる。一方、データ通信の状況では、端末は、手で保持されて、地面に対して傾けて存在している。このときには、電波は、地面に対して水平な方向から到来すること考えられるので、図５に示したように、水平面内から、携帯無線端末に到来する。
この２通りの状況においては、携帯無線端末に対する電波の到来方向がまったく異なっていることは明らかである。すなわち、電波の到来方向が分かれば、使用状況が判断される。
【００３２】
到来方向を推定する方法としては、様々な方法が考えられる。一般的にレーダの分野で用いられているモノパルス測角、メインビームの方向を変更していって最大受信強度の方向から方向を推定するビームフォーマー法、アレイアンテナのヌルを利用することにより精度のとてもよいＭＵＳＩＣ法やＥＳＰＲＩＴ法などなど、世の中に存在するいかなる方法でも、到来方向を推定することができる。
【００３３】
以上説明したように、電波の到来方向を推定することによって、携帯無線端末の使用状況を判別することができるので、その結果、最適なアンテナパターンを実現することができ、良好な無線通信ができるようになる。
【００３４】
（第５の実施の形態）
以下、本発明の第５の実施形態を図面に基づいて説明する。図６は、本発明の実施形態に係る使用状態判別装置８の構成を示すものである。使用状態判別装置８は、筐体に設置されている距離計測装置１１の測定距離の結果に基づいて判断する。以下に、動作について説明する。
携帯無線端末がデータ通信で使用された場合には、距離測定装置は使用者の顔、または、それ以上遠くの距離を測定しようとする（図６−Ａ）。つまり、距離は２０ｃｍ以上であると考えられる。一方、音声通話で使用された場合には、人体頭部に非常に近接して使用されるので、距離測定装置は、人体頭部の距離を測定する（図６−Ｂ）。つまり、焦点距離は数ｃｍ以下であると考えられる。
このように、２通りの使用状況によって、距離測定装置の測定距離は大きく異なっている。つまり、距離測定装置の測定距離を使用状況判別装置が監視して、その結果に基づいて使用状況を判別することができるようになる。
以上説明したように、距離測定装置の測定距離を監視することによって、携帯無線端末の使用状況を判別することができるので、その結果、最適なアンテナパターンを実現することができ、良好な無線通信ができるようになる。
なお、距離測定装置として、小型カメラの自動焦点距離の結果を用いてもよい。
【００３５】
（第６の実施の形態）
以下、本発明の第６実施形態を図面に基づいて説明する。図７は、本発明の実施形態に係る使用状態判別装置８の構成を示すものである。使用状態判別装置８は、筐体に設置されている音声入力装置１２に入力された音声の大小によって判断する。以下に、動作について説明する。
音声通話の状況においては、音声入力装置において、音声が入力される。この時に、人間の口と音声入力装置の距離は１０ｃｍ前後であり、非常に大きな音声が入力される。
データ通信においては、音声入力装置は機能していなく、周りの雑音のみが入力されるものとなる。しかしながら、音の発生源と音声入力装置の距離は数ｍ以上であると考えられるので、音としては、小さな音となる。
このように、２通りの使用状況において、音声入力装置からの入力レベルは大きく変わるので、容易に、携帯無線端末の使用状況を判別することができるようになる。
【００３６】
以上説明したように、音声入力装置からの入力レベルを監視することによって、携帯無線端末の使用状況を判別することができるので、その結果、最適なアンテナパターンを実現することができ、良好な無線通信ができるようになる。
その他にも、入力レベル出はなく、音声と外来音とには、音の性質に大きく違いがある。そこで、入力された音の性質を分析することによって、通話で使用されている状況なのか、データ通信で使用されている状況なのかを判断できる。
【００３７】
（第７の実施の形態）
以下、本発明の第７の実施形態を図面に基づいて説明する。図８は、本発明の実施形態に係る使用状態判別装置８の構成を示すものである。使用状態判別装置８は、筐体に設置されている表示装置１３の表示内容の変更回数を一定時間監視し、その変更回数によって判断する。以下に、動作について説明する。
データ通信においては、データの選択、加工、決定など、様々な情報を表示装置に表示している。また、携帯無線端末に用いられる表示装置はそれほど大きくないために、一度に表示できる表示内容はかぎられている。このために、表示内容は、時々刻々変わっている。
一方、音声通話においては、表示装置はまったく使用されない。つまり、常に一定の内容が表示されるか、表示内容の変化はそれほど多くない。
このように、２通りの使用状況において、表示装置の表示内容の変更回数は大きく異なっているので、容易に、携帯無線端末の使用状況を判別することができるようになる。
【００３８】
以上説明したように、表示装置１３の変更回数を監視することによって、携帯無線端末の使用状況を判別することができるので、その結果、最適なアンテナパターンを実現することができ、良好な無線通信ができるようになる。
【００３９】
（第８の実施の形態）
以下、本発明の第８の実施形態を図面に基づいて説明する。図９は、本発明の実施形態に係る使用状態判別装置８の構成を示すものである。使用状態判別装置８は、筐体に設置されているデータ演算装置１４の演算量を一定時間監視し、その演算量の大小によって判断する。以下に、動作について説明する。
データ演算装置とは、データ通信などで送受信を行うデータの再生、加工処理等を行う装置である。
データ通信においては、データのやり取りを行っているので、データ演算装置の演算量は非常に多くなる。一方、音声通話においては、音声の送受信がメインとなるので、データ演算装置の演算量は非常に小さくなる。
このように、２通りの使用状況において、データ演算装置の演算量には大きな差があるので、データ演算装置の演算量を監視することで、容易に、携帯無線端末の使用状況を判別することができるようになる。
【００４０】
以上説明したように、データ演算装置１４の演算量を監視することによって、携帯無線端末の使用状況を判別することができるので、その結果、最適なアンテナパターンを実現することができ、良好な無線通信ができるようになる。
【００４１】
（第９の実施の形態）
以下、本発明の第９の実施形態を説明する。本発明に係る送受信回路は、使用状況判断装置の判断結果に基づき、送信電力を制御する。以下、動作について説明する。
使用状況判別装置によって、音声通話か、データ通信かが判別される。音声通話においては、人体頭部に近接してアンテナが位置することとなる。アンテナの近傍に人体頭部が存在すると、アンテナ性能は劣化するものとなる。
すなわち、データ通信と音声通信において、同じ送信電力とした場合には、音声通信においては、アンテナ性能が劣化することと等価となってしまう。そこで、音声通話と判断した場合には、送信電力を多くすることによって、等価的にアンテナ性能を向上することができる。
以上説明したように、使用状況に基づいて送受信回路の送信電力を制御することで、使用状況に関係なく、良好な無線通信ができるようになる。
【００４２】
【発明の効果】
以上に詳述したように、本発明によれば、複数のアンテナを有する携帯無線端末の使用状態に応じて最適なアンテナを自動的に選択することができ、その結果、アンテナ性能に優れた携帯無線端末を実現できる。
【図面の簡単な説明】
【図１】  本発明の第１の実施の形態にかかる携帯無線端末の構成図である。
【図２】  本発明において用いることのできるアンテナの放射パターンを説明するための概念図である。
【図３】  本発明の第２の実施の形態にかかる携帯無線端末の構成図である。
【図４】  本発明の第３の実施の形態にかかる携帯無線端末の外観図である。
【図５】  携帯無線端末の使用状態を示す概念図である。
【図６】  本発明の第５の実施の形態にかかる携帯無線端末の外観図である。
【図７】  本発明の第６の実施の形態にかかる携帯無線端末の外観図である。
【図８】  本発明の第７の実施の形態にかかる携帯無線端末の外観図である。
【図９】  本発明の第８の実施の形態にかかる携帯無線端末の外観図である。
【図１０】  従来の携帯無線端末を示す構成図である。
【図１１】  携帯無線端末の使用状態を示す説明図である。
【符号の説明】
１・・・筐体
２，２ａ，２ｂ，２ｃ，３・・・アンテナ
４・・・送受信回路
５・・・高周波スイッチ
６・・・制御回路
８・・・使用状態判別装置
９・・・振幅位相調節装置
【図１】
0003751533.tif 000002
【図２】
0003751533.tif 000003
【図３】
0003751533.tif 000004
【図４】
0003751533.tif 000005
【図５】
0003751533.tif 000006
【図６】
0003751533.tif 000007
【図７】
0003751533.tif 000008
【図８】
0003751533.tif 000009
【図９】
0003751533.tif 000010
【図１０】
0003751533.tif 000011
【図１１】
0003751533.tif 000012